(57)【要約】【課題】  調湿効果（吸湿効果）および消臭効果を有する吸湿消臭シートを用い、この吸湿消臭シートの出し入れがスムーズ、かつ、簡単にでき、しかも、荷物によって、吸湿消臭シートが覆い隠されても、通気性を充分に確保して調湿効果および消臭効果を発揮させることができる、収納部調湿構造を提供する。【解決手段】  収納部１に並設した仕切板２支持用の桟材３の下面に、吸湿消臭シート４の端部を支持するレール材５を設け、対向するレール材５間に吸湿消臭シート４を架設して支持せしめてなる収納部調湿構造。【選択図】図１
2006328724.tif 000002
【特許請求の範囲】
【請求項１】
収納部に並設した仕切板支持用の桟材の下面に、吸湿消臭シートの端部を支持するレール材を設け、対向するレール材間に吸湿消臭シートを架設して支持せしめてなることを特徴とする収納部調湿構造。
【請求項２】
対向するレール材間に通気性保持板を張設し、通気性保持板上方に吸湿消臭シートを配設してなることを特徴とする請求項１記載の収納部調湿構造。
【請求項３】
レール材の内側面部に長手方向に亘って凹溝を形成し、この凹溝に通気性保持板の端縁部を嵌入してなることを特徴とする請求項１記載の収納部調湿構造。
【請求項４】
通気性保持板が、網材から構成されてなることを特徴とする請求項２または３記載の収納部調湿構造。
【発明の詳細な説明】
【技術分野】
【０００１】
本願発明は、押入れや洋服ダンス等の収納部の調湿や消臭を行う収納部調湿構造に関するものである。
【背景技術】
【０００２】
従来、押入れや洋服ダンス等の収納部内の調湿や除湿の手段として、たとえば、多数の通気孔を有する袋体の内部に、吸湿材として木炭の破砕物を充填し、押入れの棚板の下面における隣接する根太間に配置可能な平板状に形成された押入調湿材が提案されている（特許文献１参照）。この押入調湿材は、押入調湿材を構成する木炭の破砕物が湿気を吸着し、長期にわたって調湿効果を発揮することができるとしている。
【特許文献１】特開２００２−１５５５８４号公報
【発明の開示】
【発明が解決しようとする課題】
【０００３】
しかしながら、上記特許文献１記載のような押入調湿材は、吸湿材である木炭の交換等のメンテナンス時において、木炭を充填した袋体の出し入れが面倒であり、また、箱や布団等の荷物を収納した際には、これら荷物をどかして出し入れする必要があり、さらに面倒な作業であるという問題があった。また、これら荷物によって、押入調湿材を覆い隠してしまい、通気性を充分に確保できず、調湿効果を発揮させることができなくなるという問題があった。
【０００４】
そこで、本願発明は、上記従来の問題点を解消するためになされたものであり、調湿効果（吸湿効果）および消臭効果を有する吸湿消臭シートを用い、この吸湿消臭シートの出し入れがスムーズ、かつ、簡単にでき、しかも、荷物によって、吸湿消臭シートが覆い隠されても、通気性を充分に確保して調湿効果および消臭効果を発揮させることができる、新しい収納部調湿構造を提供することを課題とするものである。
【課題を解決するための手段】
【０００５】
本願発明は、上記の課題を解決するものとして、第１には、収納部に並設した仕切板支持用の桟材の下面に、吸湿消臭シートの端部を支持するレール材を設け、対向するレール材間に吸湿消臭シートを架設して支持せしめてなることを特徴とし、第２には、対向するレール材間に通気性保持板を張設し、通気性保持板上方に吸湿消臭シートを配設してなることを特徴とする。
【０００６】
また、第３には、レール材の内側面部に長手方向に亘って凹溝を形成し、この凹溝に通気性保持板の端縁部を嵌入してなることを特徴とする。
【０００７】
そして、第４には、通気性保持板が、網材から構成されてなることを特徴とする。
【発明の効果】
【０００８】
第１および第２の発明によれば、調湿効果（吸湿効果）および消臭効果を有する吸湿消臭シートを用い、この吸湿消臭シートの出し入れがスムーズ、かつ、簡単にでき、しかも、荷物によって、吸湿消臭シートが覆い隠されても、通気性を充分に確保して調湿効果および消臭効果を発揮させることができる。
【０００９】
第３の発明によれば、上記第２の発明の効果に加え、レール材を横方向にスライドさせることができるため、寸法調整をすることができる。
【００１０】
第４の発明によれば、上記第２および第３の発明の効果に加え、より確実に通気性を確保でき、調湿効果および消臭効果を向上させることができる。
【発明を実施するための最良の形態】
【００１１】
本願発明は、上記のとおりの特徴をもつものであるが、以下に、添付した図面に沿って、本願発明の実施形態について詳細かつ具体的に説明する。
【００１２】
図１は、本願発明の収納部調湿構造の一実施形態を例示した全体斜視図である。図２は、図１における収納部調湿構造を例示した正断面図である。また、図３は、本願発明の収納部調湿構造における構成部材の組み立ての様子を例示した斜視図である。
【００１３】
まず、図１および図２に沿って、本願発明の収納部調湿構造を説明する。本願発明の収納部調湿構造は、押入れや洋服ダンス等の収納部１に並設した、棚板２１、天井板２２等の仕切板２を支持する仕切板２支持用の桟材３の下面に、吸湿消臭シート４の端部を支持する、たとえば、長尺板体等よりなるレール材５を設け、対向するレール材５間に吸湿消臭シート４を架設して支持せしめてなることを特徴としている。この吸湿消臭シート４は、調湿効果（吸湿効果）と消臭効果を有する。
【００１４】
なお、図１においては、棚板２１よりなる仕切板２を支持する桟材３の下面にレール材５を設けた実施形態を例示している。
【００１５】
桟材３へのレール材５の取り付け固定は、たとえば、ネジや釘等の固着具で固定、マジックテープ（登録商標）や接着剤等で貼着して固定する。
【００１６】
また、本願発明の収納部調湿構造は、図１から図３に例示したように、対向するレール材５間に、吸湿消臭シート４の撓み防止、落下防止をはかるとともに、湿気や風の通り道（通気性）を確保するために、通気性保持板６を張設し、この通気性保持板６上方に吸湿消臭シート４を配設してもよい。さらに、本願発明の収納部調湿構造においては、この通気性保持板６の上面、かつ、略中央に、たとえば、長尺板体等よりなる中央レール材７を配設してもよい。
【００１７】
このような構成とすることで、調湿効果（吸湿効果）および消臭効果を有する吸湿消臭シート４を用い、この吸湿消臭シート４の出し入れがスムーズ、かつ、簡単にでき、しかも、荷物によって、吸湿消臭シート４が覆い隠されても、通気性を充分に確保して調湿効果および消臭効果を発揮させることができる。また、上記のとおり、中央レール材７を配設することで、吸湿消臭シート４の出し入れがスムーズになるだけでなく、吸湿消臭シート４の撓み防止、落下防止をも実現することができる。
【００１８】
また、図２に例示したように、本願発明の収納部調湿構造においては、レール材５の内側面部に、長手方向に亘って凹溝５１を形成し、この凹溝５１に通気性保持板６の端縁部を嵌入することで、レール材５を取り付けるに際して、矢印で示したように横方向にスライドさせて、寸法調整をすることができる。
【００１９】
そして、本願発明の収納部調湿構造における通気性保持板６は、金網等の網材から構成されている場合には、より確実に通気性を確保でき、調湿効果および消臭効果を向上させることができる。また、このように通気性保持板６が、網材から構成されている場合には、図３に例示したように、吸湿消臭シート４の吸湿状況を視認できるように湿気センサー４１を吸湿消臭シート４の下面に設けている場合に、網材の網目からこの湿気センサー４１を簡単に確認することができる。
【００２０】
また、図には示していないが、通気性保持板は、複数の貫通孔を通気孔として有する、合板等からなる平板から構成されてもよい。通気孔の位置は、吸湿消臭シートの挿入位置に沿って複数列にわたって設けることが好ましく、通気孔のサイズは、通気性を確保できるものであれば、特に制限されるものではないが、通常は径５ｍｍ〜１０ｍｍ程度であり、中でも径８ｍｍ程度が好ましい。通気性保持板が、このような複数の貫通孔を有する平板であっても、当然に、通気性を確保でき、調湿効果および消臭効果を向上させることができる。
【００２１】
図４は、吸湿消臭シートを挿入する様子を例示した側断面図である。
【００２２】
この図４に例示したように、本願発明の収納部調湿構造において、吸湿消臭シート４の交換等といったメンテナンス時における吸湿消臭シート４の出し入れは、レール材５を取り付けた際に生じる、棚板２１、天井板２２等の仕切板２の下面の隙間に吸湿消臭シート４を挿入するための挿入口８から、吸湿消臭シート４を挿入して、レール材５間に架設する。また、吸湿消臭シート４の取り出しは、上記挿入作業とは逆の手順で簡単に取り出すことができる。
【００２３】
なお、この挿入口８は通気路としても機能し、また、挿入口８の大きさが、手の入る程度であれば、吸湿消臭シート４は簡単に出し入れすることができる。
【００２４】
図５は、本願発明の収納部調湿構造の別の実施形態を例示した全体斜視図である。
【００２５】
図５に例示したとおり、本願発明の収納部調湿構造は、押入れや洋服ダンス等の収納部１における仕切板２を構成する棚板２１および天井板２２の両者の下面に適用することができ、吸湿消臭シート４の出し入れがスムーズ、かつ、簡単にでき、しかも、箱や布団等の荷物（図示せず）によって吸湿消臭シート４が覆い隠された状態であっても、湿気や風の通り道（通気性）を確保することができ、調湿効果および消臭効果を、収納部１内全体に亘って充分に発揮させることができ、収納部１内の環境を良好にすることができる。
【００２６】
もちろん、本願発明の収納部調湿構造は、以上の例示によって限定されるものではなく、その細部において様々な態様とすることが可能であることはいうまでもない。たとえば、収納部調湿構造における、レール材や中央レール材等の材質としては、木質材はもちろん、樹脂材等も使用することができる。また、吸湿消臭シートは、繊維（合成繊維でも、天然繊維でもよい）に吸湿樹脂加工および消臭剤塗布加工等を施して作製してもよいし、吸湿および消臭効果を有するといわれている木炭や竹炭等のような天然素材も使用することができる。さらに、天日干し等をすることで再利用可能な吸湿消臭シートも使用することもできる。
【図面の簡単な説明】
【００２７】
【図１】本願発明の収納部調湿構造の一実施形態を例示した全体斜視図である。
【図２】図１における収納部調湿構造を例示した正断面図である。
【図３】本願発明の収納部調湿構造における構成部材の組み立ての様子を例示した斜視図である。
【図４】吸湿消臭シートを挿入する様子を例示した側断面図である。
【図５】本願発明の収納部調湿構造の別の実施形態を例示した全体斜視図である。
【符号の説明】
【００２８】
１  収納部
２  仕切板
２１  棚板
２２  天井板
３  桟材
４  吸湿消臭シート
４１  湿気センサー
５  レール材
５１  凹溝
６  通気性保持板
７  中央レール材
８  挿入口
【図１】
2006328724.tif 000003
【図２】
2006328724.tif 000004
【図３】
2006328724.tif 000005
【図４】
2006328724.tif 000006
【図５】
2006328724.tif 000007